(57)【要約】【課題】コネクタを介して接続される外部デバイスへ電源オフ状態においても常に給電する機能を、より少ない電力消費でサポートできる情報処理装置を提供する。【解決手段】外部ＵＳＢポート１８に接続された外部デバイスとの通信を行うＵＳＢホストコントローラ１１７などへのサスペンド系電源（ＳＶ）を、電源オフ中に外部ＵＳＢポート１８を介して常に電力を外部デバイスに供給するスリープアンドチャージ機能を実現するための各要素１５１，１５２，１５３の電源（ＳＯＵＲＣＥ＿Ｖ）から分離することで、ハイバネーション状態またはシャットダウン状態になった場合に、サスペンド系電源（ＳＶ）をオフにしてＵＳＢホストコントローラ１１７などに対する電力供給のみを遮断することを可能とする。【選択図】図３
2011134126.tif 000002
【特許請求の範囲】
【請求項１】
外部デバイスが取り外し自在に接続される、本体装置と前記外部デバイスとの間で電源ラインおよびデータラインを導通させるためのコネクタと、
前記データラインを用いて前記外部デバイスとの通信を実行する、前記本体装置がスタンバイ状態のときに前記データラインによって前記外部デバイスからウェイクアップ信号を受信した場合に前記本体装置を電源オン状態に復帰させるウェイクアップ機能を有するデバイスコントローラと、
前記電源ラインによる前記外部デバイスに対する電力供給を制御する給電制御回路と、
前記本体装置が前記スタンバイ状態、ハイバネーション状態またはシャットダウン状態に関わらず常に電力を前記外部デバイスに供給するスリープアンドチャージ機能の動作モードの切り換えを行う、前記スリープアンドチャージ機能の作動時に前記本体装置の設定に応じて前記データラインを用いた前記外部デバイスへの通知を実行する動作モード切替回路と、
前記データラインを前記デバイスコントローラまたは前記動作モード切替回路のいずれかと排他選択的に接続させるための切り換えを行うライン切換スイッチと、
前記ウェイクアップ機能が有効に設定されているか否か、前記スリープアンドチャージ機能が有効に設定されているか否か、および、前記本体装置が電源オン状態、前記スタンバイ状態、前記ハイバネーション状態または前記シャットダウン状態のいずれの状態にあるかに応じて、前記デバイスコントローラに対する電力供給制御と、前記電力供給回路、前記動作モード切替回路および前記ライン切換スイッチの駆動制御とを実行する制御回路と、
を具備することを特徴とする情報処理装置。
【請求項２】
前記デバイスコントローラに対する電力の供給または遮断の切り換えを行う電源スイッチを具備し、
前記制御回路は、前記電源スイッチを駆動制御することによって、前記デバイスコントローラに対する電力供給を制御する、
ことを特徴とする請求項１記載の情報処理装置。
【請求項３】
前記制御回路は、前記スリープアンドチャージ機能が有効に設定され、前記本体装置が前記ハイバネーション状態または前記シャットダウン状態の場合、前記デバイスコントローラに対する電力供給を遮断することを特徴とする請求項１または２記載の情報処理装置。
【請求項４】
前記制御回路は、前記スリープアンドチャージ機能が有効に設定され、前記本体装置が前記ハイバネーション状態または前記シャットダウン状態の場合、前記データラインを前記動作モード切替回路と接続させるための切り換えを行うように前記ライン切換スイッチを駆動制御することを特徴とする請求項３記載の情報処理装置。
【請求項５】
前記制御回路は、前記ウェイクアップ機能が有効に設定されている場合には、前記データラインを前記デバイスコントローラと接続させるための切り換えを行うように前記ライン切換スイッチを駆動制御することを特徴とする請求項４記載の情報処理装置。
【請求項６】
前記動作モード切替回路と前記ライン切換スイッチとが１つの集積回路内に構成されていることを特徴とする請求項１記載の情報処理装置。
【請求項７】
前記デバイスコントローラと前記ライン切換スイッチとが少なくとも２系統の電源ラインが配置された１つの集積回路内に構成され、互いに異なる系統の電源ラインによって電力供給を受けるように構成されていることを特徴とする請求項１記載の情報処理装置。
【請求項８】
前記デバイスコントローラと前記ライン切換スイッチとが少なくとも２系統の電源ラインが配置された１つの集積回路内に構成され、互いに異なる系統の電源ラインによって電力供給を受けるように構成されていることを特徴とする請求項１記載の情報処理装置。
【請求項９】
前記デバイスコントローラ、前記動作モード切替回路および前記ライン切換スイッチが少なくとも２系統の電源ラインが配置された１つの集積回路内に構成され、前記デバイスコントローラと前記動作モード切替回路および前記ライン切換スイッチとが互いに異なる系統の電源ラインによって電力供給を受けるように構成されていることを特徴とする請求項１記載の情報処理装置。
【発明の詳細な説明】
【技術分野】
【０００１】
この発明は、例えばＵＳＢ（universal serial bus）コネクタを介して接続される外部デバイスに対して常に電力を供給する機能を有するパーソナルコンピュータ等における省電力制御技術に関する。
【背景技術】
【０００２】
近年、インターネットを介して電子メールを送受信したり、インターネット上で公開されている情報を閲覧したり、文書を作成したりするためのツールとして、ノートブックタイプやデスクトップタイプ等のパーソナルコンピュータが広く普及している。この種のパーソナルコンピュータでは、外部デバイスを必要に応じて接続するためのコネクタを各種備えることが一般的となっている。
【０００３】
例えばＵＳＢコネクタには、データラインを導出するためのピンと共に、電源ラインを導出するためのピンが設けられているので、パーソナルコンピュータ側から電力を供給することによって、外部デバイスを動作させることができる。
【０００４】
また、最近では、例えば携帯型音楽プレーヤや携帯電話機などといった、バッテリによって単独で動作可能なモバイル機器の中にも、パーソナルコンピュータとの間でデータを授受する等のためにＵＳＢコネクタに接続可能に構成されたものが多い。ＵＳＢコネクタに接続可能に構成されたモバイル機器は、（自身のバッテリを消費せずに）パーソナルコンピュータからの電力によって動作することも大抵は可能であり、かつ、パーソナルコンピュータからの電力によってバッテリを充電することも大抵は可能である。
【０００５】
そして、モバイル機器のバッテリを充電することを目的として、モバイル機器をＵＳＢコネクタに接続するというパーソナルコンピュータの利用形態が広く取られていることに着目し、わざわざ電源オンしなくても、つまり電源オフ状態のまま、ＵＳＢコネクタに接続されたモバイル機器に対して常に電力供給を行えるようにしたパーソナルコンピュータなども提案されている（例えば特許文献１等参照）。
【先行技術文献】
【特許文献】
【０００６】
【特許文献１】特開２００６−５３７４８号公報
【発明の概要】
【発明が解決しようとする課題】
【０００７】
ところで、パーソナルコンピュータは、電源オフ状態として、主メモリへの給電を継続して作業中断時の状態を保持し続けるスタンバイ状態、主メモリの内容をＨＤＤ（hard dick drive）等に退避させて主メモリへの給電も停止するハイバネーション状態、主メモリの内容を破棄して全ての給電を停止するシャットダウン状態、の３つの状態を取り得る。この３様態の電源オフ状態は、ＡＣＰＩ（advanced configuration and power interface）においては、Ｓ３，Ｓ４，Ｓ５などと区別して表記される。なお、電源オン状態はＳ０である。
【０００８】
そして、最近のパーソナルコンピュータは、スタンバイ状態にあるとき、ＵＳＢコネクタに接続された外部デバイスからウェイクアップ信号を受けた場合、電源オン状態に自動的に復帰するウェイクアップ機能をサポートすることが求められている。従って、ＵＳＢコネクタに接続された外部デバイスとのやり取りを司るコントローラ（ＵＳＢホストコントローラ）に対する給電は、パーソナルコンピュータが電源オフ状態であっても、それがスタンバイ状態であれば継続することが求められる。換言すれば、それがハイバネーション状態またはシャットダウン状態であれば、ＵＳＢホストコントローラに対する給電を停止することも可能となる。
【０００９】
一方、電源オフ状態のパーソナルコンピュータのＵＳＢコネクタに外部デバイスを接続してバッテリを充電しようとするユーザは、スタンバイ状態、ハイバネーション状態、シャットダウン状態といった違いを認識することはない。よって、電源オフ状態のまま、ＵＳＢコネクタに接続された外部デバイスに対して常に電力供給を行う機能（以下、スリープアンドチャージ機能と称する）をサポートする場合、ハイバネーション状態またはシャットダウン状態においても、ＵＳＢホストコントローラに対する給電を継続しなければならなくなる。
【００１０】
例えばノートブックタイプのパーソナルコンピュータの場合、（自身の）バッテリからの電力で駆動可能な時間を少しでも長く確保するために、省電力のための工夫が種々施されている。そのため、スリープアンドチャージ機能をサポートするにあたっても、電力消費を少しでも削減するための仕組みが求められる。
【００１１】
この発明は、このような事情を考慮してなされたものであり、コネクタを介して接続される外部デバイスへの給電を継続する機能を、より少ない電力消費でサポートすることを実現した情報処理装置を提供することを目的とする。
【課題を解決するための手段】
【００１２】
前述した目的を達成するために、この発明の情報処理装置は、外部デバイスが取り外し自在に接続される、本体装置と前記外部デバイスとの間で電源ラインおよびデータラインを導通させるためのコネクタと、前記データラインを用いて前記外部デバイスとの通信を実行する、前記本体装置がスタンバイ状態のときに前記データラインによって前記外部デバイスからウェイクアップ信号を受信した場合に前記本体装置を電源オン状態に復帰させるウェイクアップ機能を有するデバイスコントローラと、前記電源ラインによる前記外部デバイスに対する電力供給を制御する給電制御回路と、前記本体装置が前記スタンバイ状態、ハイバネーション状態またはシャットダウン状態に関わらず常に電力を前記外部デバイスに供給するスリープアンドチャージ機能の動作モードの切り換えを行う、前記スリープアンドチャージ機能の作動時に前記本体装置の設定に応じて前記データラインを用いた前記外部デバイスへの通知を実行する動作モード切替回路と、前記データラインを前記デバイスコントローラまたは前記動作モード切替回路のいずれかと排他選択的に接続させるための切り換えを行うライン切換スイッチと、前記ウェイクアップ機能が有効に設定されているか否か、前記スリープアンドチャージ機能が有効に設定されているか否か、および、前記本体装置が電源オン状態、前記スタンバイ状態、前記ハイバネーション状態または前記シャットダウン状態のいずれの状態にあるかに応じて、前記デバイスコントローラに対する電力供給制御と、前記電力供給回路、前記動作モード切替回路および前記ライン切換スイッチの駆動制御とを実行する制御回路と、を具備することを特徴とする。
【発明の効果】
【００１３】
この発明によれば、本体装置とコネクタを介して接続される外部デバイスへ電源オフ状態においても常に給電する機能を、より少ない電力消費でサポートすることが実現される。
【図面の簡単な説明】
【００１４】
【図１】本発明の実施形態に係る情報処理装置の外観図。
【図２】同実施形態の情報処理装置のシステム構成を概略的に示す図。
【図３】同実施形態の情報処理装置のスリープアンドチャージ機能に関わる詳細な回路構成を説明するための第１の図。
【図４】同実施形態の情報処理装置のスリープアンドチャージ機能に関わる詳細な回路構成を説明するための第２の図。
【図５】同実施形態の情報処理装置のスリープアンドチャージ機能に関わる詳細な回路構成を説明するための第３の図。
【図６】同実施形態の情報処理装置における状態（ＡＣＰＩ  Ｓ０，Ｓ３，Ｓ４，Ｓ５）別のスリープアンドチャージ機能に関わる回路の各信号および各電源の状態を示す図。
【発明を実施するための形態】
【００１５】
以下、図面を参照して、この発明の一実施形態を説明する。
【００１６】
図１は、本実施形態に係る情報処理装置の外観図である。この情報処理装置は、ノートブックタイプのパーソナルコンピュータ１として実現されている。
【００１７】
図１に示すように、本コンピュータ１は、コンピュータ本体１１と、ディスプレイユニット１２とから構成される。ディスプレイユニット１２には、ＬＣＤ（Liquid Crystal Display）１３が組み込まれている。このディスプレイユニット１２は、コンピュータ本体１１に対し、コンピュータ本体１１の上面が露出される開放位置とコンピュータ本体１１の上面を覆う閉塞位置との間を回動自在に取り付けられている。
【００１８】
一方、コンピュータ本体１１は、薄い箱形の筐体を有しており、その上面には、パワーボタン１４、キーボード１５、ポインティングデバイス１６、スピーカ１７等が配置されている。また、その筐体側面には、携帯型音楽プレーヤや携帯電話機などといったＵＳＢデバイス２を取り外し自在に接続可能な外部ＵＳＢポート１８が配置されている。
【００１９】
外部ＵＳＢポート１８に接続されたＵＳＢデバイス２は、コンピュータ１からの電力によって動作することもできるし、コンピュータ１からの電力によってバッテリを充電することもできる。また、本コンピュータ１は、電源オフ状態にあるときでも、外部ＵＳＢポート１８に接続されたＵＳＢデバイス２に対して、常に電力を供給することのできるスリープアンドチャージ機能を有している。そして、本コンピュータ１は、このスリープアンドチャージ機能をサポートするにあたって、電力消費を少しでも削減するための仕組みを備えたものであり、以下、この点について詳述する。
【００２０】
なお、本コンピュータ１は、スタンバイ状態にあるとき、外部ＵＳＢポート１８に接続されたＵＳＢデバイス２からウェイクアップ信号を受けた場合に、電源オン状態に自動的に復帰するウェイクアップ機能も併せて有している。
【００２１】
図２は、本コンピュータ１のシステム構成を概略的に示す図である。
【００２２】
図２に示すように、本コンピュータ１は、ＣＰＵ（central processing unit）１１１、ノースブリッジ１１２、主メモリ１１３、表示コントローラ１１４、サウスブリッジ１１５、サウンドコントローラ１１６、（サウスブリッジ１１５内に設けられる）ＵＳＢホストコントローラ１１７、ＨＤＤ１１８、ＯＤＤ（optical disc drive）１１９、ＰＣＩデバイス１２０、ＢＩＯＳ−ＲＯＭ１２１、組み込みコントローラ（ＥＣ：embedded controller）１２２、電源コントローラ１２３等を備えている。
【００２３】
ＣＰＵ１１１は、本コンピュータ１の各部の動作を制御するプロセッサである。ＣＰＵ１１１は、ＨＤＤ１１８やＯＤＤ１１９から主メモリ１１３にロードされる、オペレーティングシステム、各種アプリケーションプログラムおよびユーティリティプログラムを実行する。また、ＣＰＵ１１１は、ＢＩＯＳ（basic input/output system：基本入出力システム）−ＲＯＭ（read only memory）１２１に格納されたＢＩＯＳも実行する。ＢＩＯＳは、ハードウェア制御のためのプログラムである。
【００２４】
ノースブリッジ１１２は、ＣＰＵ１１１のローカルバスとサウスブリッジ１１５との間を接続するブリッジデバイスである。また、ノースブリッジ１１２は、ＰＣＩ（peripheral component interconnect）  Ｅｘｐｒｅｓｓバスなどを介して表示コントローラ１１４との通信を実行する機能を有している。さらに、ノースブリッジ１１２には、主メモリ１１３を制御するメモリコントローラも内蔵されている。
【００２５】
表示コントローラ１１４は、本コンピュータ１のディスプレイデバイスとして使用されるＬＣＤ１３を制御する。表示コントローラ１１４は描画機能を有しており、グラフィクスアクセラレータとして機能する。サウスブリッジ１１５は、ＰＣＩバスとＬＰＣ（Low Pin Count）バスとにそれぞれ接続されている。ＰＣＩバスには、ＰＣカードコントローラのようなＰＣＩデバイス１２０が接続されている。一方、ＬＰＣバスには、ＢＩＯＳ−ＲＯＭ１２１やＥＣ１２２等が接続されている。また、サウスブリッジ１１５は、サウンドコントローラ１１６との通信を実行する機能を有している。サウンドコントローラ１１６は音源デバイスであり、各種プログラムが再生対象とするオーディオデータをスピーカ１７に出力する。
【００２６】
サウスブリッジ１１５内に設けられるＵＳＢホストコントローラ１１７は、外部ＵＳＢポート１８を介して導出されるデータラインを用いて、当該ＵＳＢポート１８に接続されたＵＳＢデバイス２との通信を行うコントローラとして機能する。
【００２７】
ＥＣ１２２は、電力管理等を実行するための１チップマイクロコンピュータであり、プロセッサ、メモリおよび各種制御ロジックを含んでいる。ＥＣ１２２には、本コンピュータ１のコンピュータ本体上面に配置されたキーボード（ＫＢ）１５およびポインティングデバイス１６を制御するキーボードコントローラも内蔵されている。
【００２８】
また、ＥＣ１２２は、電源コントローラ１２３と協働して、パワーボタン１４の操作に応じて本コンピュータ１を電源オン／電源オフする。電源コントローラ１２３は、コンピュータ本体１１に収容されるバッテリからの電力またはＡＣ（alternating current）アダプタを介して供給される外部電源からの電力を用いて、本コンピュータ１の各部に供給すべきシステム電源の生成を制御する。
【００２９】
前述したウェイクアップ機能は、外部ＵＳＢポート１８に接続されたＵＳＢデバイス２からウェイクアップ信号を受けたＵＳＢホストコントローラ１１７が、サウスブリッジ１１５を介したイベント信号をＥＣ１２２に供給することによって実現される。
【００３０】
次に、図３乃至図５を参照して、本コンピュータ１のスリープアンドチャージ機能に関わる詳細な回路構成について説明する。なお、以下では、スリープアンドチャージ機能を「常時給電」と称することがある。
【００３１】
図３中、ＶＢＵＳ電源供給スイッチ１５１は、外部ＵＳＢポート１８への電源（後述するＶＢＵＳ）の供給を行う回路であり、過電流保護等を目的とする状態監視機能も担う。ＵＳＢ差動信号切替スイッチ１５２は、外部ＵＳＢポート１８のデータライン（後述するＤ＋／Ｄ−）の接続先をＵＳＢホストコントローラ１１７または常時給電動作モード選択切替回路１５３から選択し、接続経路切替を行うスイッチ回路である。そして、常時給電動作モード選択切替回路１５３は、常時給電の動作モードを決定する回路構成を単数または複数備え、それらの選択、切替を行うための回路である。常時給電動作モード選択切替回路１５３は、各動作モードを当該ＵＳＢデバイス２へ通知する。図５中のＦＥＴスイッチ１５４は、ＵＳＢホストコントローラ１１７への電源（後述するＳＶ）の供給をオン／オフするためのＦＥＴスイッチまたはそれに準ずる回路である。
【００３２】
また、図３乃至図５中の”ＳＧ”、”ＳＯＵＲＣＥ＿Ｖ”、”ＳＶ”、”ＥＶ”、”ＶＢＵＳ”、”Ｄ＋／Ｄ−”、”ＳＶ＿ＯＮ／ＯＦＦ”、”ＶＢＵＳ＿ＯＮ／ＯＦＦ”、”ＢＵＳ＿ＳＥＬＥＣＴ”および”ＭＯＤＥ＿ＳＥＬＥＣＴ”は、それぞれ以下の事項を示している。
【００３３】
・ＳＧ（接地）：Signal Ground(信号接地)。
【００３４】
・ＳＯＵＲＣＥ＿Ｖ（電源）：ＳＶ電源への供給元となる電源。
【００３５】
・ＳＶ（電源）：サスペンド電源およびそれに類する電源。
【００３６】
・ＥＶ（電源）：ＥＣ１２２への電源およびそれに類する電源。
【００３７】
・ＶＢＵＳ（電源）：外部ＵＳＢポート１８への電源。
【００３８】
・Ｄ＋／Ｄ−（信号）：ＵＳＢ差動信号。
【００３９】
・ＳＶ＿ＯＮ／ＯＦＦ（信号）：ＥＣ１２２が出力する、ＦＥＴスイッチ１５４をオン／オフするための制御信号。
【００４０】
・ＶＢＵＳ＿ＯＮ／ＯＦＦ（信号）：ＥＣ１２２が出力する、ＶＢＵＳ電源供給スイッチ１５１をオン／オフするための制御信号。
【００４１】
・ＢＵＳ＿ＳＥＬＥＣＴ（信号）：ＥＣ１２２が出力する、ＵＳＢ差動信号切替スイッチ１５２の信号接続経路切替用の制御信号。
【００４２】
・ＭＯＤＥ＿ＳＥＬＥＣＴ（信号）：ＥＣ１２２が出力する、常時給電動作モード選択切替回路１５３の動作モードを選択する制御信号。
【００４３】
図３から明らかなように、（常時給電動作モード選択切替回路１５３とＵＳＢデバイス２との間で通信が行われる）外部ＵＳＢポート１８によるスリープアンドチャージ（常時給電）機能と（ＵＳＢホストコントローラ１１７とＵＳＢデバイス２との間で通信が行われる）同ポート１８によるウェイクアップ機能とは、ＵＳＢ差動信号（Ｄ＋／Ｄ−）の使用が競合する関係にあるため、基本的に、これらは排他制御する必要がある。しかしながら、ウェイクアップ機能の設定条件からConnect、Disconnect、Over Current等の検出項目を除外すること等により、これら両機能は共存し得る。
【００４４】
この点を踏まえ、本コンピュータ１が備える仕組みの理解を助けるために、まず、従来の外部ＵＳＢポート１８に関する回路構成について説明する。
【００４５】
従来の外部ＵＳＢポート１８に関する回路は、図３に示される”ＳＯＵＲＣＥ＿Ｖ”および”ＳＶ”が同系統の電源として構成される。このため、図５に示したＦＥＴスイッチ１５４は必要ないため存在しない。また、ここで着眼するスリープアンドチャージ（常時給電）機能に対応しない場合には、さらに、図３に示されるＵＳＢ差動信号切替スイッチ１５２および常時給電動作モード選択切替回路１５３も必要ないため存在しない。そして、この場合には、外部ＵＳＢポート１８とＵＳＢホストコントローラ１１７とは直結されることとなる。
【００４６】
なお、図３では特に示していないが、ＶＢＵＳ電源供給スイッチ１５１で状態監視される外部ＵＳＢポート１８における過電流等は、ＥＣ１２２に対してその発生を知らせる信号等を接続しておくことにより、本コンピュータ１がスタンバイ状態、ハイバネーション状態、電源オフ状態（ＡＣＰＩのＳ３／Ｓ４／Ｓ５状態）またはそれに類する状態にある場合においても、”ＶＢＵＳ＿ＯＮ／ＯＦＦ”を介した安全性確保に寄与する保護機能を容易に構築することができる。
【００４７】
以上のような従来の外部ＵＳＢポート１８に関する回路に対して、本コンピュータ１における外部ＵＳＢポート１８に関する回路では、まず、外部ＵＳＢポート１８によるスリープアンドチャージ（常時給電）機能を提供するために、図３に示すＵＳＢ差動信号切替スイッチ１５２および常時給電動作モード選択切替回路１５３が設けられる。
【００４８】
次に、図５に示すＦＥＴスイッチ１５４を加えることにより、図示のように”ＳＯＵＲＣＥ＿Ｖ”から”ＳＶ”を分離させ、これをＵＳＢホストコントローラ１１７へ供給する構成とする。
【００４９】
図６は、本コンピュータ１の状態（ＡＣＰＩ  Ｓ０，Ｓ３，Ｓ４，Ｓ５）別のスリープアンドチャージ機能に関わる回路の各信号および各電源の状態を示す図である。図６に示す備考欄の（１）〜（１０）は、それぞれ以下の事項に該当する。
【００５０】
（１）ＡＣＰＩ  Ｓ０（コンピュータ１の通常使用時）
”ＳＶ”、”ＶＢＵＳ”、”ＳＯＵＲＣＥ＿Ｖ”、”ＥＶ”の各電源が基本的に
全てオン状態となるコンピュータ１の通常動作時。
【００５１】
（２）ＡＣＰＩ  Ｓ３（常時給電：オフ／ウェイクアップ：オフ）
コンピュータ１のＳ３（スタンバイ状態）通常時。
【００５２】
（３）ＡＣＰＩ  Ｓ４（常時給電：オフ／ウェイクアップ：オフ）
コンピュータ１のＳ４（ハイバネーション状態）通常時。
【００５３】
（４）ＡＣＰＩ  Ｓ５（常時給電：オフ／ウェイクアップ：オフ）
コンピュータ１のＳ５（シャットダウン状態）通常時。
【００５４】
（５）ＡＣＰＩ  Ｓ３（常時給電：オフ／ウェイクアップ：オン）
上記（２）のＵＳＢウェイクアップ待機時。
【００５５】
（６）ＡＣＰＩ  Ｓ４（常時給電：オフ／ウェイクアップ：オン）
上記（３）のＵＳＢウェイクアップ待機時。
【００５６】
（７）ＡＣＰＩ  Ｓ３（常時給電：オン／ウェイクアップ：オフ）
コンピュータ１のＳ３（スタンバイ状態）常時給電時。
【００５７】
（８）ＡＣＰＩ  Ｓ４（常時給電：オン／ウェイクアップ：オフ）
コンピュータ１のＳ４（ハイバネーション状態）常時給電時。
【００５８】
（９）ＡＣＰＩ  Ｓ５（常時給電：オン／ウェイクアップ：オフ）
コンピュータ１のＳ５（シャットダウン状態）常時給電時。
【００５９】
（１０）ＡＣＰＩ  Ｓ５（常時給電：オフ／ウェイクアップ：オン）。
【００６０】
上記（４）のＵＳＢウェイクアップ待機時（基本的に非サポート）。
【００６１】
図６の備考欄が（８）と（９）の行で示されるように、前述した、ＦＥＴスイッチ１５４によって”ＳＯＵＲＣＥ＿Ｖ”から”ＳＶ”を分離させ、これをＵＳＢホストコントローラ１１７へ供給する構成とした結果、本コンピュータ１がハイバネーション状態またはシャットダウン状態であって、「常時給電：オン／ウェイクアップ：オフ」の組み合わせ条件下では、ＵＳＢホストコントローラ１１７への供給電源である”ＳＶ”をオフにして常時給電機能を提供することが可能となる。従来の外部ＵＳＢポート１８に関する回路構成では、当該条件下においても、ＵＳＢホストコントローラ１１７への供給が継続して行われるので、省電力化を図ることができる。
【００６２】
また、図４に示すように、ＥＣ１２２が、”ＳＶ＿ＯＮ／ＯＦＦ”、”ＶＢＵＳ＿ＯＮ／ＯＦＦ”、”ＢＵＳ＿ＳＥＬＥＣＴ”、”ＭＯＤＥ＿ＳＥＬＥＣＴ”の制御を担うことにより、本コンピュータ１がスタンバイ状態、ハイバネーション状態、電源オフ状態（ＡＣＰＩのＳ３／Ｓ４／Ｓ５状態）またはそれに類する状態にある場合においても、安全性確保に寄与する保護機能を働かせた上で、当該外部ＵＳＢポート１８による常時給電機能を提供することができる。
【００６３】
なお、これらの制御条件を設定し、図６の備考欄が（１）の行で示される状態中に動作環境を整える役割を果たすのは、ここでは特に説明していないが、ＢＩＯＳまたはそれに類するファームウェアであることは言うまでもない。
【００６４】
このように、ＵＳＢホストコントローラ１１７などへのサスペンド系電源（ＳＶ）を、スリープアンドチャージ（常時給電）機能を実現するために必要となるＶＢＵＳ電源供給スイッチ１５１、ＵＳＢ差動信号切替スイッチ１５２および常時給電動作モード選択切替回路１５３への電源（ＳＯＵＲＣＥ＿Ｖ）から分離するためのＦＥＴスイッチ１５４を設け、かつ、これらをＥＣ１２２によって制御するといった回路構成を持つことによって、本コンピュータ１は、スリープアンドチャージ（常時給電）機能をサポートするにあたり、更なる省電力化を達成する。
【００６５】
なお、図３では、ＵＳＢ差動信号切替スイッチ１５２、ＵＳＢホストコントローラ１１７および常時給電動作モード選択切替回路１５３が個別に設けられる例を示したが、（ＳＯＵＲＣＥ＿Ｖを入力する）ＵＳＢ差動信号切替スイッチ１５２と常時給電動作モード選択切替回路１５３とを一体化した構成とすることも可能である。また、”ＳＶ”と”ＳＯＵＲＣＥ＿Ｖ”との２系統の入力経路を設けることで、（１）ＵＳＢ差動信号切替スイッチ１５２とＵＳＢホストコントローラ１１７を一体化した構成、（２）常時給電動作モード選択切替回路１５３とＵＳＢホストコントローラ１１７を一体化した構成、（３）ＵＳＢ差動信号切替スイッチ１５２、常時給電動作モード選択切替回路１５３およびＵＳＢホストコントローラ１１７を一体化した構成、とすることも可能である。
【００６６】
このように、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００６７】
１…情報処理装置（パーソナルコンピュータ）、２…ＵＳＢデバイス、１１…コンピュータ本体、１２…ディスプレイユニット、１３…ＬＣＤ、１４…パワーボタン、１５…キーボード、１６…ポインティングデバイス、１７…スピーカ、１８…ＵＳＢポート、１１１…ＣＰＵ、１１２…ノースブリッジ、１１３…主メモリ、１１４…表示コントローラ、１１５…サウスブリッジ、１１６…サウンドコントローラ、１１７…ＵＳＢホストコントローラ、１１８…ＨＤＤ、１１９…ＯＤＤ、１２０…ＰＣＩデバイス、１２１…ＢＩＯＳ−ＲＯＭ、１２２…組み込みコントローラ（ＥＣ）、１２３…電源コントローラ、１５１…ＶＢＵＳ電源供給スイッチ、１５２…ＵＳＢ差動信号切替スイッチ、１５３…常時給電動作モード選択切替回路、１５４…ＦＥＴスイッチ。
【図１】
2011134126.tif 000003
【図２】
2011134126.tif 000004
【図３】
2011134126.tif 000005
【図４】
2011134126.tif 000006
【図５】
2011134126.tif 000007
【図６】
2011134126.tif 000008